(57)【要約】【課題】  ＰＣＢなどの塩素含有化合物（有毒性物質）の輸送をより安全に行うことができ、事故などに際しても、輸送品を漏洩させ、飛散又は流出により環境を汚染することのない搬送用コンテナを提供する。【解決手段】  中空直方体を上部カバー２と下部トレー１０とに上下に二分割した構造を有し、上部カバー２と下部トレー１０とは、分割により生じた開口状態の分割面を合せて接合することにより、内部と外部とを遮断する機能を有するとともに、上部カバーの側面の各コーナー部には、上部カバー２の上部から下部トレー１０における側面の各コーナーの底部まで延出し、下部トレー１０を挟持する脚部４を一体的に形成した支柱３を設けて搬送用コンテナ１を構成する。【選択図】      図１
2007204136.tif 000002
【特許請求の範囲】
【請求項１】
相対する開口面を接合したとき密封された中空直方体を形成する、下面が開口した上部カバーと、上面が開口した下部トレーとからなるもので、
前記上部カバーは、各コーナー部に開口面から突出する脚部を一体的に設けた支柱が配設固定され、
前記下部トレーは、各コーナー部に前記脚部を受け入れるための脚部受入部が形成されるとともに、床面まで延出する前記脚部の先端面と相対する部位に、前記脚部を介して上部カバーと下部トレーとを緊締するための緊締手段が設けられていること
を特徴とする廃棄物の搬送用コンテナ。
【請求項２】
前記上部カバーと下部トレーは、
いずれか一方の開口縁に沿って断面山型の係合凹部が形成され、他方の開口縁に沿って前記係合凹部と係合する断面山型の係合突部が形成され、少なくとも一方の面に緩衝材が一体的に付着されていること
を特徴とする請求項１に記載の廃棄物の搬送用コンテナ。
【請求項３】
前記上部カバーと下部トレーは、
両者の接合部を固定するための締結部材が、当該接合部の外側面にそれぞれ等当間隔で配置されていること
を特徴とする請求項１又は２に記載の廃棄物の搬送用コンテナ。
【請求項４】
前記締結部材は、
前記上部カバーの開口面に設けられる係止フックと、下部トレーの開口面に設けられるスプリング式のハンドルロックとから構成されるもので、前記ハンドルロックのリングを前記係止フックに係合させ、ハンドルロックのハンドルを下方に押し下げることによってワンタッチ式で上部カバーと下部トレーとを一体化させること
を特徴とする請求項３に記載の廃棄物の搬送用コンテナ。
【請求項５】
前記緊締手段は、
前記上部カバーの支柱に連設する脚部の底面に形成された長孔に挿通可能な頭部を有する緊締ボルトと、この緊締ボルトに螺合するナットと、前記緊締ボルトを回転させるためのハンドルとから構成されていること
を特徴とする請求項１〜３のいずれかに記載の廃棄物の搬送用コンテナ。
【請求項６】
前記上部カバーは、
各コーナー部に配置した支柱の頂部に、リフティングラグを有するコーナキャスティングがそれぞれ一体的に付設されていること
を特徴とする請求項１〜３のいずれかに記載の廃棄物の搬送用コンテナ。
【請求項７】
前記上部カバーは、
その上面の各縁部に、上部カバー取扱い専用のフォークガイドが一体的に付設されていること
を特徴とする請求項１〜３のいずれかに記載の廃棄物の搬送用コンテナ。
【請求項８】
前記下部トレーは、
その床面の各縁部に、吊り上げ用のラグを有する下部トレー取扱い専用のフォークガイドが一体的に付設されていること
を特徴とする請求項１〜３のいずれかに記載の廃棄物の搬送用コンテナ。
【発明の詳細な説明】
【技術分野】
【０００１】
この発明は、ＰＣＢのような有毒性の廃棄物の輸送、保管に最適な廃棄物の搬送用コンテナに関するもので、より具体的には、有毒性の廃棄物を安全に輸送、保管することができ、輸送時における不慮の事故においても、有毒性に起因する問題を発生させることがなく、交通事故等にも対応し得る廃棄物の搬送用コンテナに関し、輸送用コンテナ製造技術に属するものである。
【背景技術】
【０００２】
有毒性物質、特にＰＣＢなどの塩素含有化合物を含んだ廃棄物は、処理能力のある施設で無害化する必要があるため、各地で発生したそれら廃棄物は、一定量になるまで保管され、その後、前記のような施設へ輸送され、無害化が図られている。
そのような有毒性物質を含んだ廃棄物は、発生場所での保管時は勿論のこと、特に、処理施設への輸送時に、周辺環境を汚染しないよう、また、取り扱い者の健康を損なわないように、万全の体制をとる必要がある。
【０００３】
したがって、輸送のための設備や取り扱いなどに対しては、高度の安全性が求められており、輸送用容器、すなわち、コンテナには、例えば、以下のような性能を満足することが求められている（環境事業団受入基準）。
１．外形・強度について
（１）外寸は、幅２０００ｍｍ×奥行１４７５ｍｍ（又は２９５０ｍｍ）であって、かつ、高さが２０５０ｍｍ以下であること。
（２）容器本体に次の表示がされていること。
−所有者又は管理者の氏名又は名称及び連絡先
−容器の総自重
（３）自重を含めて５ｔの重量があるときに、フォークリフトで持ち上げた場合又はクレーンで吊り上げた場合、容器本体、フォークポケット及びクレーン用の吊手に歪み、変形、破損その他の異常が認められないこと。
【０００４】
２．材質について
（１）ステンレススチール製であること。
３．構造について
（１）底面及び側面が密閉構造で、蓋を閉めたときに雨水が内部に侵入しない構造であること。
（２）蓋は、容器が転倒しても容易に外れることがなく、かつ、内容物が飛散又は流出することがない構造であること。
（３）底面には４方向からのフォークリフトで荷役できるフォークポケットを有すること。
（４）容器本体４隅及び蓋にクレーン用の吊手を有し、安全に持ち上げられる構造であること。
（５）容器内面は容易に拭き取りができるように、複雑な形状及び表面の凹凸を避けること。
（６）取付け及び取外しを容易に行うことができる仕切り板による、内部仕切りができる構造であること。
（７）ＰＣＢ廃棄物を固定した状態での運搬中の急制動、急カーブ等の際に容器の形状が保たれるようＰＣＢ廃棄物を固定できること。
【０００５】
このような要望に応えるものとして、例えば、特開２００３−３１２７７４号公報（特許文献１）においては、廃棄物の輸送、保管に使用する廃棄物用コンテナにおいて、上面のほぼ全域が開口し、内部に廃棄物を収容する容器部と、前記収容部の上面開口を開閉するための蓋部とを備え、前記蓋部により前記容器内部を密閉するために前記容器部と蓋部とを締結する締結手段を有することを特徴とする廃棄物の輸送、保管に使用する廃棄物用コンテナが提案されている。
【特許文献１】特開２００３−３１２７７４号公報（特許請求の範囲）
【発明の開示】
【発明が解決しようとする課題】
【０００６】
前記の特許文献１に記載のコンテナは、上面のほぼ全域が開口した容器と、収容部の上面開口を開閉するための蓋部とが備わっているため、コンテナ内に廃棄物を積み込むための大きな開口部があり、廃棄物全般をコンテナ内に容易に積み込むことができ、廃棄物をコンテナに積み込んだ後、締結手段により、蓋部と容器部とが締結されコンテナ内部が密閉されるという機能を有し、コンテナの落下や転倒などに対する安全性が十分に考慮されているので、有害物質を含んだ廃棄物の輸送、保管に使用することができるというものである。
【０００７】
しかしながら、この提案のコンテナは、容器部と蓋部とから構成され、それらを締結する締結手段がワンタッチ方式の締結金具であって、容器部と蓋部をそれらで締結するだけのものであるため、交通事故などの輸送中の事故に際し、蓋が外れて、積載物が漏洩する事故が発生するというおそれを完全に否定することはできず、より安全性の高いコンテナが求められている。
【０００８】
この発明はかかる現状に鑑み、ＰＣＢなどの塩素含有化合物などの有毒性物質からなる廃棄物の搬送に際し、万一、有毒性の廃棄物を搭載した車両が不測の事故に遭遇し、廃棄物を収容したコンテナが横転したとしても、コンテナの蓋が開いて前記廃棄物が外部に漏れ出し、飛散又は流出により環境を汚染することのない廃棄物の搬送用コンテナを提供せんとするものである。
【０００９】
また、この発明の他の目的は、構造が簡単で、取り扱いが容易であるとともに、クレーンなどによるコンテナの吊り上げなどにおいても、安定性が高く、コンテナ自体の強度も強く、荷役の安全性がきわめて高い、廃棄物の搬送用コンテナを提供せんとするものである。
【課題を解決するための手段】
【００１０】
すなわち、この発明の請求項１に記載の発明は、
相対する開口面を接合したとき密封された中空直方体を形成する、下面が開口した上部カバーと、上面が開口した下部トレーとからなるもので、
前記上部カバーは、各コーナー部に開口面から突出する脚部を一体的に設けた支柱が配設固定され、
前記下部トレーは、各コーナー部に前記脚部を受け入れるための脚部受入部が形成されるとともに、床面まで延出する前記脚部の先端面と相対する部位に、前記脚部を介して上部カバーと下部トレーとを緊締するための緊締手段が設けられていること
を特徴とする廃棄物の搬送用コンテナである。
【００１１】
また、この発明の請求項２に記載の発明は、
請求項１に記載の廃棄物の搬送用コンテナにおいて、
前記上部カバーと下部トレーは、
いずれか一方の開口縁に沿って断面山型の係合凹部が形成され、他方の開口縁に沿って前記係合凹部と係合する断面山型の係合突部が形成され、少なくとも一方の面に緩衝材が一体的に付着されていること
を特徴とするものである。
【００１２】
また、この発明の請求項３に記載の発明は、
請求項１又は２に記載の廃棄物の搬送用コンテナにおいて、
前記上部カバーと下部トレーは、
両者の接合部を固定するための締結部材が、当該接合部の外側面にそれぞれ等当間隔で配置されていること
を特徴とするものである。
【００１３】
また、この発明の請求項４に記載の発明は、
請求項３に記載の廃棄物の搬送用コンテナにおいて、
前記締結部材は、
前記上部カバーの開口面に設けられる係止フックと、下部トレーの開口面に設けられるスプリング式のハンドルロックとから構成されるもので、前記ハンドルロックのリングを前記係止フックに係合させ、ハンドルロックのハンドルを下方に押し下げることによってワンタッチ式で上部カバーと下部トレーとを一体化させること
を特徴とするものである。
【００１４】
また、この発明の請求項５に記載の発明は、
請求項１〜３のいずれかに記載の廃棄物の搬送用コンテナにおいて、
前記緊締手段は、
前記上部カバーの支柱に連設する脚部の底面に形成された長孔に挿通可能な頭部を有する緊締ボルトと、この緊締ボルトに螺合するナットと、前記緊締ボルトを回転させるためのハンドルとから構成されていること
を特徴とするものである。
【００１５】
また、この発明の請求項６に記載の発明は、
請求項１〜３のいずれかに記載の廃棄物の搬送用コンテナにおいて、
前記上部カバーは、
各コーナー部に配置した支柱の頂部に、リフティングラグを有するコーナキャスティングがそれぞれ一体的に付設されていること
を特徴とするものである。
【００１６】
また、この発明の請求項７に記載の発明は、
請求項１〜３のいずれかに記載の廃棄物の搬送用コンテナにおいて、
前記上部カバーは、
その上面の各縁部に、上部カバー取扱い専用のフォークガイドが一体的に付設されていること
を特徴とするものである。
【００１７】
さらに、この発明の請求項８に記載の発明は、
請求項１〜３のいずれかに記載の廃棄物の搬送用コンテナにおいて、
前記下部トレーは、
その床面の各縁部に、吊り上げ用のラグを有する下部トレー取扱い専用のフォークガイドが一体的に付設されていること
を特徴とするものである。
【発明の効果】
【００１８】
この発明の廃棄物の搬送用コンテナは、中空直方体を上部構造体と下部構造体とに上下に二分割した形態の上部カバーと下部トレーが、上部カバーに取付けられた支柱を、下部トレーを挟持しながら下部トレーの床面まで延出するとともに、支柱に連設する脚部を介して緊締手段によって、さらには、上部カバーと下部トレーとの接合部に設けられた締結部材によって、上部カバーと下部トレーとを確実に締結させるので、高度な気密性を確保することができ、搬送用コンテナの外部へ有毒性物質を漏洩させ、あるいは、流出させることのないものである。また、その気密性は、上部カバーと下部トレーの接合部における凹凸形状の嵌合と緩衝材の併用によってさらに向上させることができる。
【００１９】
また、上部カバーに取付けられた支柱は、下部トレーの床面まで延出しているので、下部トレーに外部から圧力が掛かるのを防止し、下部トレーの変形、破壊を防止し、延いては搬送用コンテナ自体の強度を著しく向上させるものである。
【００２０】
また、上部カバーに取付けられた支柱が、下部トレーの底部で下部トレーと緊密に締結することができるので、搬送用コンテナを吊り下げるとき、下部カバーの底部を持ち上げのみによって、高い安定性を保持した状態で吊り下げることができる。
【００２１】
さらに、上部カバーと下部トレーとは、支柱を介して、さらには締結部材や緊締手段を併用して確実に締結されているので、従来のものより一段と安全性が高く、搬送用コンテナの落下や転倒、特に交通事故などにおける激しい衝撃に対しても耐えられ、積載物を外部に放出することにないもので、有毒性物質を含んだ廃棄物の輸送や保管に使用するに最適なものであって、それら輸送や保管に際して、周辺環境を汚染することがなく、人体への悪影響も与えることおそれのないものである。
【発明を実施するための最良の形態】
【００２２】
以下、有毒性物質であるＰＣＢを含む廃棄物を収容・輸送するに好適な、この発明にかかるコンテナの一実施例を添付の図面に基づいて具体的に説明するが、この発明は実施例にのみ限定されるものではなく、発明の要旨を変更しない範囲において種々変更を加えることができるものである。
【００２３】
この発明にかかる廃棄物の搬送用コンテナ１は、図１に示すように、中空直方体を上下に二分割した、相対する面に開口部を有するボックス状の上部カバー２（上部構造体とも言う。）と、同じく開口部を有する下部トレー１０（下部構造体とも言う。）の二つの構造体から構成されるものである。
【００２４】
二つの構造体のうち、上部カバー２は、方形の上面２ａと、この上面２ａの各側縁から垂設する側壁２ｂ〜２ｅを有し、その四隅にそれぞれに、中空体からなる支柱３を上面２ａから下端部を開口部から突出させた状態で、溶接などの手段によって固着されたものであって、支柱４の長さは後述する下部トレー１０の底面１０ａに達する長さとし、開口部から突出した部位を脚部４としている。
なお、この脚部４の底面４ａには、後述する下部トレー１０に設けた緊締手段１２を構成する緊締ボルトの頭部を挿通させるための長孔４ｂが形成されている。（図６参照）
【００２５】
この上部カバー２を構成する上面２ａ、各側壁２ｂ〜２ｅは、いずれもステンレス製のコルゲートパネルを使用することが、有害物質との関係では好ましいが、その素材に特段の制限はなく、支柱３もステンレス製の構造用鋼材を使用している。
【００２６】
この上部カバー２の上面２ａには、上部カバー取り扱い専用の、構造用鋼材からなるフォークガイド５が設けられているとともに、各支柱３の上部には、載荷した搬送用コンテナ１を、ワイヤ吊り上げ荷役に使用するためのコーナキャスティング６が一体的に付設されている。また、このコーナキャスティング６の上面２ａ側の突出面６ａには、必要に応じワイヤ挿通用のリフティングラグ６ｂが設けられる。さらに、前記の側壁２ｂ〜２ｅには、図示しないが、収容物の状態を看視するための覗き窓を設けてもよい。
【００２７】
一方、前記下部トレー１０は、方形の床面１０ａの各側縁に沿って上方に向けて立設された側壁１０ｂ〜１０ｅを有するもので、各側壁１０ｂ〜１０ｅの連設部、すなわち、各コーナー部を内側に折り曲げて切欠き部を形成し、前記各支柱３の脚部４を嵌め合わせるための脚部受入部１１としたもので、各脚部受入部１１の下部には、各脚部４を介して上部カバー２と下部トレー１０とを、相互に締結するための緊締手段１２が一体的に設けられている。
【００２８】
なお、前記各側壁１０ｂ〜１０ｅも、ステンレス製のコルゲートパネルを使用しているが、その素材には特段の限定はない。また、床面１０ａの裏面は、当然のことながら、構造用鋼材などからなるクロスメンバー、桁などのよって補強されているものである。
【００２９】
また、下部トレー１０を構成する各側壁１０ｂ〜１０ｅの下部（実質的には、床面１０ａの裏面に設けられた補強材の側面）には、フォーク作業を可能とするフォークポケット１３が設けられている。なお、フォークポケット１３の上部に形成される床面１ａは完全平面であって、前記側壁１０ｂ〜１０ｅの内面には、後述する積載物の揺動防止に使用するラッシングバーや、井桁バーを固定するラッシングレール１４が付設されている。さらに、床面１０ａ上には、ドラム缶などの積載物を固定するための井桁バーを固定するための井桁バー固定溝１５が設けられている。さらにまた、図示しないが、必要に応じて吊り下げ用のリングを設けることもできる。
【００３０】
かかる構成を有する上部カバー２と下部トレー１０は、先に述べた規格に従ったものとするために、この実施例においては、ステンレス製とし、その大きさは、幅および奥行は共に２０００ｍｍ×２９５０ｍｍとし、高さは、上部カバー２は脚部の高さ７３０ｍｍを含めて１９８０ｍｍ、下部トレー３の高さは８００ｍｍ、上部カバー２と下部トレー３を締結し一体化した後の高さを２０５０ｍｍのものとした。
なお、それらの底面、側面、天面などはＳＵＳ３０４コルゲートパネル、チェッカーパネル等を用い、構造用鋼材に溶接により一体化され、箱形形状とされている。
【００３１】
この搬送用コンテナ１は、図１に示すように、上部カバー２の各コーナーに一体的に付設された支柱３の先端部の脚部４を、下部トレー１０の各コーナー部に形成された対応する脚部受入部１１に当接させながら下降させ、各脚部４の先端面が各脚部受入部１１の底面と当接させることによって、上部カバー２の開口縁と下部トレー１０の開口縁とを密着させて箱型形状とするものである。
【００３２】
その際、搬送用コンテナ１の密封性を向上させるため、図２に示すように、上部カバー２の各側壁（図示の例は側壁２ｂ）の開口縁に、断面逆山型状の嵌合凹部２ｆが一体的に形成されているとともに、この嵌合凹部２ｆの内面にはスポンジラバーからなる緩衝材２ｇが貼着固定されている。
【００３３】
また、下部トレー１０の側壁１０ｂ〜１０ｅの開口縁（図示の例は側壁１０ｂ）には、前記側壁２ｂの開口縁に形成された断面逆山型状の嵌合凹部２ｆに嵌合する、嵌合凸部１０ｆが一体的に形成されている。したがって、下部トレー１０と上部カバー２の各開口部を接合すると、下部トレー１０の各側壁１０ｂ〜１０ｅの各開口縁に形成された嵌合凸部が、上部カバー２の各側壁２ｂ〜２ｅの各開口縁に形成された嵌合凹部内に入り込み、密閉された搬送用コンテナ１が形成される。その際、各嵌合凹部の内面には緩衝材が存在するので、搬送用コンテナ１の密封性が十分に確保されることになる。
【００３４】
また、上部カバー２と下部トレー１０を一体化させて搬送用コンテナ１とする際、上部カバー２と下部トレー１０の接合部、すなわち上部カバー２と下部トレー１０の側壁端部には、密閉状態を維持するため、スプリング式のハンドルロックなどの締結部材１６が設けられている。
【００３５】
この締結部材１６は、下部トレー１０の各側壁の外側に等間隔で配置された、スプリング式のハンドルロックなどの締結具１７と、上部カバー２の各側壁の外側に、前記締結具１７と対応して設けられる締結用の係止フック１８とから構成されるもので、締結具１７のハンドル１７ａを緩めた状態において、締結具１７のリング１７ｂを係止フック１８に引っ掛け、しかるのち、締結具１７のハンドル１７ａを下方に押し下げることにより、上部カバー２と下部トレー１０の接合部が互いに係合し、上部カバー２と下部トレー１０とが強固に締結される。
【００３６】
また、締結部材１６は、搬送用コンテナ１を構成する上部カバー２と下部トレー３の相対する部位に、ほぼ等間隔に配置することによって、上部カバー２と下部トレー３の接合部の締結力を均一にすることができ、高度な気密性を確保することができる。
【００３７】
さらに、この発明の搬送用コンテナ１においては、使用時に上部カバー２と下部トレー１０とを強固に一体化させるため、先に述べたように、各脚部受入部１１の下部に、各支柱３の脚部４を介して、上部カバー２と下部トレー１０とを締結するための緊締手段１２が、それぞれ下部トレー１０と一体的に設けられている。
【００３８】
すなわち、この緊締手段１２は、図３で明らかなように、下部トレー１０の各コーナーに形成された切欠き部からなる脚部受入部１１の下方に配置される中空体２０内に設けられるもので、前記中空体２０の一側面は外側に開口２０ａしているとともに、その上面２０ｂの、前記脚部４の底面部４ａに形成された長孔４ｂの中心部と相対する部位には、緊締手段１２を構成する緊締ボルト２１の軸部２１ａを挿通させるための挿通孔２０ｃが形成されている。
【００３９】
前記緊締ボルト２１は、前記脚部４の底面に形成された長孔４ｂと同形で、かつ一回り小さな矩形状の頭部２１ｂを有するもので、この緊締ボルト２１の軸部２１ａを前記挿通孔２０ｃの上方から挿通させ、中空体２０内に突出した軸部２１ａにナット２２を螺合させるとともに、基端部に操作用のハンドル２３を一体的に付設したものである。
【００４０】
なお、前記中空体２０の底面上には、前記ハンドル２３を利用して緊締ボルト２１を回転させるに際し、ハンドル２３の回転範囲を規制するためのストップピン２４が立設されているとともに、ハンドル２３がストップピン２４に当接した状態でハンドル２３の位置を固定するためのハンドル固定ピン孔２５が立設され、このハンドル固定ピン孔２５と係合するピン孔２３ａがハンドル２３に形成されている。
【００４１】
かかる緊締手段１２を使用して、上部カバー２と下部トレー１０との緊締は、以下のようにして行われる。
【００４２】
緊締手段１２を構成する緊締ボルト２１の矩形状の頭部２１ａは、図３で明らかなように、常時、中空体２０の上面に、上部カバー２の脚部４の底面４ａに形成された長孔４ｂと同一方向にあるよう顕出しているので、上部カバー２を吊り上げ、その脚部４を、下部トレー１０の脚部受入部１１に沿って下降させると、前記頭部２１ｂが脚部４の底部４ａに形成された長孔４ｂ内にセットされる。（図３参照）
【００４３】
ついで、中空体２０の開口部２０ａから手を入れ、図４および図５に示すように、ハンドル２３を持ち上げて緊締ボルト２１の頭部２１ｂを、脚部４の底面４ａ上に顕出させたのち、その状態を保持しながら、図６に示すように、ハンドル２３を点線で示すように左側にストップピン２４に当接するまで回転（ほぼ９０度）させると、緊締ボルト２１の頭部２１ｂが、図７に示されるように、支柱４の底部４ａ上に載置される状態となる。この時点では、ハンドル２３に形成したピン孔２３ａとハンドル固定ピン孔２５とが一致することになるので、前記ピン孔２３ａの上部から固定ピン２６をハンドル固定ピン孔２５に向けて挿通させると、ハンドル２３がその位置に固定される。
【００４４】
この状態で軸部２１ａに螺合されているナット２２をスパナなどの工具を使用して締め付ければ、上部カバー２と下部トレー１０は強固に結合され、交通事故などにおける転倒などにおいても、その結合は外れることがなく、積載物を漏洩させることの無いコンテナが形成されるものである。
【００４５】
なお、上部カバー２と下部トレー１０との分離は、前記操作と逆の順序で行うことによって簡単かつ容易に行うことができるものである。
【００４６】
以上のようにして、上部カバー２と下部トレー１０とを結合して構成される、この発明の搬送用コンテナ１は、有毒性物質であるＰＣＢを含む廃棄物などを収容する際は、別途インナー容器を調製し、このインナー容器に充填したうえで、搬送用コンテナ１に積載することが好ましいが、廃棄物がドラム缶に収納されている、あるいはＰＣＢを絶縁油として用いてあるトランスなどであれば、ラッシングバーや井桁バーを用いて、搬送用コンテナ１内に固定収容される。
【００４７】
図８は、その一例として、ドラム缶３０をラッシングバー３１と井桁バー３２で挟持固定して収容している状態を示すもので、ラッシングバー３１と井桁バー３２は、図１に示される下部トレー１０の内壁面に設けられたラッシングレール１４や井桁バー固定溝１５により固定される。
【００４８】
ドラム缶やトランスを上記のように収納する際、必要により、ゴムシートのような緩衝材、さらには、漏洩の際の拡大を防ぐために、市販されている油液吸着用のシートや筒状の吸着材を適宜用いることが望ましい。
【００４９】
なお、上記実施の形態では、主としてＰＣＢを含む廃棄物を輸送、保管する場合を例示したが、この発明に係る搬送用コンテナは、ＰＣＢ以外の環境汚染廃棄物、医療汚染廃棄物等を輸送する場合にも使用することができる。また、上部カバーと下部トレーの接合のための締結手段部としてスプリング式ハンドルロックを例示したが、これに限られず、例えばキャッチクリップ以外のワンタッチ金具やスイングボルトなど種々の締結金具を使用することができる。
【００５０】
また、この発明にかかる搬送用コンテナとして、特定のサイズのコンテナを例示したが、コンテナサイズはこれらに限られることなく、使用用途・目的、輸送形態などによって最適なサイズを任意に設定することができる。さらに、この発明の搬送用コンテナは箱形コンテナに限らず、異型や円筒型のコンテナにも当然適用することができるものである。
【産業上の利用可能性】
【００５１】
この発明の搬送用コンテナは、各種産業で使用されている、あるいは使用されてきたＰＣＢのようなＰＣＢのような有毒性の廃棄物の輸送、保管に最適なもので、それらを使用し、あるいは使用していた各種産業分野で幅広く利用される可能性の高いものである。
【図面の簡単な説明】
【００５２】
【図１】この発明にかかる搬送用コンテナの概略を示す分解斜視図である。
【図２】上部カバーと下部トレーの結合部を示す拡大図である。
【図３】下部トレーと上部カバーとを、上部カバーの脚部を介して緊締するための緊締手段を示す説明図である。
【図４】緊締手段の緊締ボルトを持ち上げた状態を示す説明図である。
【図５】図４の側面図である。
【図６】図４の平面図である。
【図７】上部カバーと下部トレーの緊締状態を示す説明図である。
【図８】下部トレー内にドラム缶を積載する状態を示す説明図である。
【図９】図１に示す搬送用コンテナの側面図である。
【符号の説明】
【００５３】
１      搬送用コンテナ
２      上部カバー（上部構造体）
３      支柱
４      脚部
４ａ    脚部の底部
１０      下部トレー（下部構造体）
１１      脚部受入部
１２      緊締手段
１６      締結部材
１７      締結具
１８      フック
２０      中空体
２１      緊締ボルト
２１ａ    緊締ボルトの軸部
２１ｂ    緊締ボルトの頭部
２２      ナット
２３      ハンドル
２４      ストップピン
【図１】
2007204136.tif 000003
【図２】
2007204136.tif 000004
【図３】
2007204136.tif 000005
【図４】
2007204136.tif 000006
【図５】
2007204136.tif 000007
【図６】
2007204136.tif 000008
【図７】
2007204136.tif 000009
【図８】
2007204136.tif 000010
【図９】
2007204136.tif 000011